(57)【要約】【課題】１ＤＩＮサイズの車載機器でも表示を注視することなしに、比較的容易に簡単な操作で且つ迅速に、圧縮オーディオで目的の楽曲を再生することができるディスク再生装置を得る。【解決手段】階層状に作成された複数のディレクトリに保存された楽曲データを記憶しているディスク２４が、デッキ部へ挿入されたか否かを検知するディスク検知部１７と、動作モードがスキャンモードであるか否かを判別し、動作モードがスキャンモードのときに、デッキ部に挿入されたディスクのディレクトリ毎のスキャンを開始する指示を発生するマイコン３と、このマイコン３からの指示に基づいて、ディスクからディレクトリを選択し、その先頭曲を短時間再生する。【選択図】        図１
2004362716.tif 000002
【特許請求の範囲】
【請求項１】
階層状に作成された複数のディレクトリに保存された楽曲データを記憶しているディスクが、デッキ部へ挿入されたか否かを検知するディスク検知手段と、
動作モードがスキャンモードであるか否かを判別し、上記動作モードがスキャンモードのときに、上記デッキ部に挿入されたディスクのディレクトリ毎のスキャンを開始する指示を発生する制御手段と、
上記制御手段からの指示に基づいて、上記ディスクからディレクトリを選択し、その先頭曲を短時間再生する再生手段と
を備えたディスク再生装置。
【請求項２】
再生手段は、再生中選択されたディレクトリの下位のディレクトリの有無を判別し、当該ディレクトリの下位のディレクトリが有れば、その下位のディレクトリを含めてファイルを再生し、無ければ、当該ディレクトリ内のファイルのみを再生することを特徴とする請求項１記載のディスク再生装置。
【請求項３】
制御手段は記憶手段を有し、再生手段は、ディスクからのディレクトリの選択を当該ディスクの最後まで行い、選択モードが続いている間、逐次情報を上記記憶手段に蓄積させ、全部蓄積した時点で上記制御手段からの指示に基づいて、上記蓄積した情報の再生を開始することを特徴とする請求項１記載のディスク再生装置。
【請求項４】
再生手段は、選択されたディレクトリのアーティストの楽曲をディスク全体から検索し、順に再生することを特徴とする請求項１から請求項３のうちのいずれか１項記載のディスク再生装置。
【発明の詳細な説明】
【０００１】
【発明の属する技術分野】
この発明は、例えば、ＭＰ３（ＭＰＥＧ−１  Ａｕｄｉｏ  Ｌａｙｅｒ  ３）やＷＭＡ（Ｗｉｎｄｏｗｓ（登録商標）  Ｍｅｄｉａ  Ｐｌａｙｅｒ）等の圧縮オーディオのファイルシステムに準拠したディスクを再生する場合や、圧縮音声を伴う圧縮映像を再生する場合等に用いて好適なディスク再生装置に関するものである。
【０００２】
【従来の技術】
通常、圧縮オーディオの代表的な規格としてＭＰ３があるが、このＭＰ３等は、慣用のＣＤの１０倍以上の曲を１枚のディスクに収録できる半面、一般的な１ＤＩＮサイズの車載機器のように、ツリー構造をもたない機器にとっては、再生時に目的の楽曲を迅速に選択することができる何等かの方法が必要になる。
そこで、現在再生している楽曲以外の楽曲を抽出し、その抽出した楽曲の楽曲番号・曲名・アーティスト名を一定間隔で表示するものがある（例えば、特許文献１参照）。
また、再生しようとする楽曲を、アルファベット順・録音日付順で検索し、設定した楽曲を再生するものがある（例えば、特許文献２参照）。
【０００３】
【特許文献１】
特開２００２−２１６４６２号公報
【特許文献２】
特開２００２−２６９９５４号公報
【０００４】
【発明が解決しようとする課題】
しかしながら、上記特許文献１に記載されているものは、現在再生している楽曲以外の楽曲の楽曲番号・曲名・アーティスト名を一定間隔で表示するものであるので、ユーザーは運転中にいちいちその表示を見なければならず、車載機器の場合は安全性の面でも課題があった。
また、上記特許文献２に記載されているものは、再生しようとする楽曲を、アルファベット順・録音日付順で検索し、設定した楽曲を再生するものであるので、オーソドックスなものであるが、検索をするには特定の操作と画面注視が必要であり、また、録音日付順の検索では、なかなか目的とする楽曲のところへいけず、検索に時間がかかる等の課題があった。
【０００５】
この発明は、上記のような課題を解決するためになされたもので、操作が簡単で容易に且つ迅速に楽曲を再生できるディスク再生装置を得ることを目的とする。
【０００６】
【課題を解決するための手段】
この発明に係るディスク再生装置は、階層状に作成された複数のディレクトリに保存された楽曲データを記憶しているディスクが、デッキ部へ挿入されたか否かを検知するディスク検知手段と、動作モードがスキャンモードであるか否かを判別し、動作モードがスキャンモードのときに、デッキ部に挿入されたディスクのディレクトリ毎のスキャンを開始する指示を発生する制御手段と、この制御手段からの指示に基づいて、ディスクからディレクトリを選択し、その先頭曲を短時間再生する再生手段とを備えたものである。
【０００７】
【発明の実施の形態】
以下、この発明の実施の一形態を説明する。
実施の形態１．
図１は、この発明の実施の形態１によるディスク再生装置を示すシステムブロック図、図２は、この発明の実施の形態１によるディスク再生装置の動作を示すフローチャート、図３は、この発明の実施の形態１におけるディレクトリ階層のスキャンの仕方を示す図、図４は、この発明の実施の形態１によるディスク再生装置の詳細動作を示すフローチャートである。
図１において、オーディオセット部１とＣＤデッキ部２が設けられ、これらはそれぞれマイコン３，４を内蔵している。オーディオセット部１の制御手段としてのマイコン３は、ＣＤデッキ部２と通信を行う通信部５と、この通信部５を介してＣＤデッキ部２側に指示を出す制御部６と、ＣＤデッキ部２から送り返された情報等を制御部６の制御の元に記憶する記憶部（記憶手段）７と、外部の各種キーボタンが押されたことを検知して制御部６に知らせるキー検知部８とを有する。このキー検知部８に対する外部の各種キーボタンとして、例えばスキャン動作時に用いられるＳＣＡＮボタン１１、ディレクトリを選択するための選択ボタン１２、ＥＪＥＣＴボタン２２およびＳＴＯＰボタン２３が設けられている。
【０００８】
また、オーディオセット部１内には、ＣＤデッキ部２からの再生された音声を制御する音声制御部９と、その出力を増幅する増幅部１０が設けられ、増幅部１０の出力側に外部のスピーカ１３および１４が接続される。
一方、ＣＤデッキ部２のマイコン４は、制御部１５と、この制御部１５に接続され、オーディオセット部１の通信部５と相互に情報の伝送を行う通信部１６とを有する。また、ＣＤデッキ部２内には、ディスク２４が挿入されるメカ部２０と、このメカ部２０へのディスク２４の挿入を検知して制御部１５に知らせるディスク検知部（ディスク検知手段）１７と、メカ部２０のモータ（図示せず）を駆動するモータ駆動部１８と、制御部１５、モータ駆動部１８、メカ部２０内のピックアップ２１およびオーディオセット部１内の音声制御部９に接続され、ＣＤデッキ部２のサーボ制御と信号の処理を行うデジタル信号処理器（以下、単にＤＳＰと云う）１９とが設けられる。なお、ＣＤデッキ部２の制御手段１５、ＤＳＰ１９およびピックアップ２１と、オーディオセット部１の音声制御部９および増幅部１０は、実質的に再生手段を構成する。
【０００９】
制御部１５は、ＤＳＰ１９を介してモータ駆動部１８を制御することでメカ部２０を駆動し、これによりメカ部２０へ挿入されたディスク２４のディレクトリ毎のスキャンを始めるようになされている。また、ＤＳＰ１９からのサーボ制御の信号はモータ駆動部１８を通じて、メカ部２０に伝わる。
【００１０】
また、メカ部２０内のピックアップ２１は、データ読取り手段として用いられ、ここから読み取ったデータが「音楽のための信号」および「フィードバックのための信号」として利用される。
また、後述するスキャン動作時に再生される音声は、ＣＤデッキ部２のピックアップ２１で取り込まれ、ＤＳＰ１９を経て、オーディオセット部１内の音声制御部９、増幅部１０を通って、スピーカ１３，１４で再生されるようになされている。
【００１１】
次に、動作について、説明する。
まず、本実施の形態の概略動作を、図２を参照して説明する。
圧縮オーディオのディスク２４をメカ部２０に挿入した後、ＳＣＡＮスキャンボタン１１を押すことにより、ディスク２４内のディレクトリ毎にディレクトリ内の、最初の曲の頭だし再生を行う（ステップＳＴ１）。ユーザーは再生された曲が聞きたい曲である場合、選択ボタン１２を押す。これらの押しボタンは、ここでは、オーディオセット部１のパネル面に設けた場合であるが、リモコンまたはハンドルリモコンに設けるようにしてもよい。
【００１２】
次に、選択ボタン１２が押されたことをオーディオセット部１のキー検知部８が検知した場合（ステップＳＴ２のＹＥＳ）、オーディオセット部１側で次のような、１）〜３）の動作をさせることを考える。すなわち、
１）下位のディレクトリがあれば（ステップＳＴ３のＹＥＳ）、下位のディレクトリを含めて再生する（ステップＳＴ４）。一つのディレクトリ再生後再びスキャンに入る（ステップＳＴ６のＹＥＳ）。この場合、エンドユーザーが同じ系列の曲を意図的に同じディレクトリにおいているだろうと云う前提で再生するものである。
【００１３】
２）選択されたアーティストの楽曲をディスク全体から検索し、順に再生する（ステップＳＴ３のＮＯ，ＳＴ５，ＳＴ６のＹＥＳのルート）。ＭＰ３の曲がいわゆるＩＤ３タグの情報を持っている場合は、内部にアーティスト名の情報を持っているので検索ができる。また、ＩＤ３タグはファイルの末尾１２８バイトに曲の情報（アルバム名、リリース年号等）の情報を入れているものである。
【００１４】
３）ディレクトリ選択作業をディスクの最後まで行ない、選択作業が続いている間、逐次情報を貯めていき、全部貯めきった時点で演奏を開始する（ステップＳＴ２のＮＯ，ＳＴ１のルート）。
これらは、セットいずれかひとつの動きを取るようにすることを考える。または、初回のセット立ち上げの段階で、あるいはボタン押し等で、選択できるモードに入ってもよい。
【００１５】
スキャンする順番は、図３に示すように、「階層順」または「パステーブル順」とする。
図３において、図３（ａ）は、ディレクトリの各階層の内容を示したものであり、階層０は「ｒｏｏｔ」で階層構造の一番上の部分を表しており、これに階層１のディレクトリＡ，Ｂが連結され、ディレクトリＡに階層２のディレクトリＣ，Ｄが連結され、ディレクトリＣに階層３のディレクトリＥ，Ｆが連結され、ディレクトリＤに階層３のディレクトリＧが連結されている。
【００１６】
また、図３（ｂ）は階層順を表し、この場合、ひとつの階層を全部掘り下げていく方式であり、Ａ→Ｃ→Ｅ→Ｆ→Ｄ→Ｇ→Ｂの順に各ディレクトリが再生される。また、図３（ｃ）はパステーブル順を表し、この場合、順々に階層をさらえていく方式であり、Ａ→Ｂ→Ｃ→Ｄ→Ｅ→Ｆ→Ｇの順に各ディレクトリが再生される。
【００１７】
ディレクトリが全くなく「ｒｏｏｔ」にファイルがある場合は、頭からのファイルひとつひとつをスキャンとする。
また、上記２）で述べた同一アーティストの代わりに、ＩＤ３タグに記録されていれば、同一ジャンル番号のものを再生してもよい。
このようにすれば、１ＤＩＮサイズの車載機器でも表示を注視することなしに、比較的容易に圧縮オーディオで目的の楽曲を再生することができる。
なお、このモードを抜けたい場合は、オーディオセット部１のＥＪＥＣＴボタン１２またはＳＴＯＰボタン２３を用いるものとする。
また、このモードを利用しないで、目的の曲へいきたい場合は、ＦＯＬＤＥＲ（ディレクトリ）ＵＰ・ＤＯＷＮキー（図示せず）を用いてひとつひとつ進めていくことになる。
【００１８】
次に、本実施の形態の詳細動作について、図４を参照しながら説明する。
ＣＤデッキ部２のメカ部２０へディスク２４が挿入されたか否かをディスク検知部１７で検知し（ステップＳＴ１１）、ディスク２４の挿入が検知された段階で、オーディオセット部１のＳＣＡＮボタン１１が押されたか否かを判別する。つまり、動作モードがスキャンモードであるか否かを判別する（ステップＳＴ１２）。
【００１９】
ＳＣＡＮボタン１１が押されると、このＳＣＡＮボタン１１が押されたことが、オーディオセット部１のマイコン３に設けられたキー検知部８で検知され、このキー検知部８からの検知情報に基づいて、制御部６が通信部５およびＣＤデッキ部２内の通信部１６を介してマイコン４の制御部１５に指示を出す。
この指示に基づき、制御部１５は、ＤＳＰ１９を通じてモータ駆動部１８を制御し、メカ部２０を駆動する。これにより、メカ部２０に挿入されたディスク２４のディレクトリ毎のスキャンが始まる。
【００２０】
ここで、上述の如く、ＤＳＰ１９はＣＤデッキ部２のサーボ制御と信号の処理を行い、そのサーボ制御の信号がモータ駆動部１８を通じて、メカ部２０に伝わるが、メカ部２０の内部には、データ読取り手段であるピックアップ２１があり、ここから読み取ったデータが「音楽のための信号」および「フィードバックのための信号」として利用される。そこで、メカ部２０へ挿入されたディスク２４のディレクトリ毎のスキャンをするために、ピックアップ２１を最初のディレクトリの位置に移動させる（ステップＳＴ１３）。
【００２１】
一方、ステップＳＴ１２で、ＳＣＡＮボタン１１が押されていなければ、通常の頭からの再生を行うものとする。
次に、ステップＳＴ１３でピックアップ２１を最初のディレクトリの位置に移動させた後に、ディレクトリの先頭曲を短時間（例えば、５秒間）再生する（ステップＳＴ１４）。これが、いわゆるスキャン動作である。このスキャン動作で再生される音声は、ＣＤデッキ部２のピックアップ２１で取り込まれ、ＤＳＰ１９を経て、オーディオセット部１内の音声制御部９、増幅部１０を通って、スピーカ１３，１４で再生される。
【００２２】
次に、ステップＳＴ１４で音声再生中、選択ボタン１２が押されたか否かを判別し（ステップＳＴ１５）、選択ボタン１２が押されたことが検知されると、つまり、選択モードになると、それより下位のディレクトリがあるかどうかをチェックし（ステップＳＴ１７）、その後、下位のディレクトリが有れば（ステップＳＴ１８のＹＥＳ）、下位のディレクトリを含めてファイル（音楽）を再生する（ステップＳＴ１９）。
一方、ステップＳＴ１５で選択ボタン１２が押されていなければ、次のディレクトリに移動し（ステップＳＴ１６）、ステップＳＴ１４に戻って頭出しを繰り返す。
【００２３】
ステップＳＴ１８で下位のディレクトリが無かった場合は、該当するディレクトリの中のファイル（音楽）のみを再生する（ステップＳＴ２０）。
ステップＳＴ１９，ＳＴ２０の再生中・再生後に、ＥＪＥＣＴボタン２２、ＳＴＯＰボタン２３が押されているか否かを判別し（ステップＳＴ２１）、押されていると、一連の動作を終了する。
【００２４】
一方、ステップＳＴ２１でＥＪＥＣＴボタン２２、ＳＴＯＰボタン２３が押されていない場合には、スキャンを継続するために、次のディレクトリがあるか否かをチェックする（ステップＳＴ２２）。この場合、上述の階層順、パステーブル順ともに行われる。ステップＳＴ２２で次のディレクトリが有れば、次のディレクトリに移動し（ステップＳＴ１６）、ステップＳＴ１４に戻って頭出しを繰り返す、つまり、引き続きスキャンを繰り返す。
【００２５】
一方、ステップＳＴ２２で次のディレクトリが無ければ、自動的に終了する。
これにより、ＣＤデッキ部２のマイコン４の制御部１５は、現在頭出し中の曲のディレクトリ名をピックアップ２１を通して読み取る。読み取ったデータはオーディオセット部１のマイコン３に送り返す。必要な時は、ＩＤ３タグ（ファイル末尾１２８バイトが相当。ＩＤ３タグの時には１２８バイトの頭部分が「ＴＡＧ」の文字になっている。）の情報を読み取り、同様にオーディオセット部１のマイコン３に送り返す。
【００２６】
オーディオセット部１のマイコン３は、送り返されてきた情報をいったん記憶部７に記憶し、その上で選択されたディレクトリ以下を再生するよう、再度ＣＤデッキ部２のマイコン４に指示する。
【００２７】
以上のように、この実施の形態１によれば、ＭＰ３・ＷＭＡなどの圧縮オーディオのファイルシステムに準拠したディスクを再生する時、ディレクトリの最初のファイルをスキャンして一部再生を行い、ユーザーが選択ボタンを押した場合、該当のディレクトリを再生したり、同一のアーティストを選択して演奏したりするので、１ＤＩＮサイズの車載機器でも表示を注視することなしに、比較的容易に簡単な操作で且つ迅速に、圧縮オーディオで目的の楽曲を再生することができる。また、上記した説明では、ディスク内でディレクトリ構造をとるデータとして圧縮オーディオと説明したが、勿論楽曲を伴う映像データであっても良い。
【００２８】
【発明の効果】
以上のように、この発明によれば、階層状に作成された複数のディレクトリに保存された楽曲データを記憶しているディスクが、デッキ部へ挿入されたか否かを検知するディスク検知手段と、動作モードがスキャンモードであるか否かを判別し、動作モードがスキャンモードのときに、デッキ部に挿入されたディスクのディレクトリ毎のスキャンを開始する指示を発生する制御手段と、この制御手段からの指示に基づいて、ディスクからディレクトリを選択し、その先頭曲を短時間再生する再生手段とを備えるので、１ＤＩＮサイズの車載機器でも表示を注視することなしに、比較的容易に簡単な操作で且つ迅速に、圧縮オーディオで目的の楽曲を再生することができるという効果がある。
【図面の簡単な説明】
【図１】この発明の実施の形態１によるディスク再生装置を示すシステムブロック図である。
【図２】この発明の実施の形態１によるディスク再生装置の概略動作を示すフローチャートである。
【図３】この発明の実施の形態１によるディスク再生装置におけるディレクトリ階層のスキャンの仕方を示す図である。
【図４】この発明の実施の形態１によるディスク再生装置の詳細動作を示すフローチャートである。
【符号の説明】
１  オーディオセット部、２  ＣＤデッキ部、３，４  マイコン、５，１６  通信部、６，１５  制御部、７  記憶部、８  キー検知部、９  音声制御部、１０  増幅部、１１  ＳＣＡＮボタン、１２  選択ボタン、１３，１４  スピーカ、１７  ディスク検知部、１８  モータ駆動部、１９  デジタル信号処理器（ＤＳＰ）、２０  メカ部、２１  ピックアップ、２２  ＥＪＥＣＴボタン、２３ＳＴＯＰボタン。
【図１】
2004362716.tif 000003
【図２】
2004362716.tif 000004
【図３】
2004362716.tif 000005
【図４】
2004362716.tif 000006